(57)【要約】接続端子の軸部へガスケットの肉だまりによる押圧力を作用させることで軸シールの機能を得ることが可能である。これにより、従来よりも長期的なシール性の担保が可能となる角形二次電池を提供する。本発明の一態様に係る角形二次電池は、蓄電要素と、蓄電要素と接続される集電板と、蓄電要素および集電板とを収納し、開口が設けられた電池容器と、電池容器の開口を塞ぎ、外部端子が配置された蓋と、外部端子と前記集電板とを接続する接続端子と、を備え接続端子の軸の周りにはガスケットを有し、ガスケットには一対の幅狭部が設けられ、蓋又は集電板には、前記一対の幅狭部間に配置されたテーパー部が設けられる
2018159180.tif 000002
【特許請求の範囲】
【請求項１】
蓄電要素と、
前記蓄電要素と接続される集電板と、
前記蓄電要素および集電板とを収納し、開口が設けられた電池容器と、
前記電池容器の開口を塞ぎ、外部端子が配置された蓋と、
前記外部端子と前記集電板とを接続する接続端子と、を備えた二次電池において、
前記接続端子の軸の周りにはガスケットを有し、
前記ガスケットには一対の幅狭部が設けられ、
前記蓋又は集電板には、前記一対の幅狭部間配置されたテーパー部が設けられることを特徴とする二次電池。
【請求項２】
請求項１に記載の二次電池において、
前記テーパー部は蓋側に設けられ、
前記一対の幅狭部のうち、一方側の幅狭部に対応する位置には、前記蓋から突出した突起部が形成されることを特徴とする二次電池。
【請求項３】
請求項２に記載の二次電池において、
前記一対の幅狭部のうち、他方側の幅狭部に対応する位置には、前記テーパー部の端部が形成されることを特徴とする二次電池。
【請求項４】
請求項３に記載の二次電池において、
前記突起部は前記テーパー部から連続して設けられることを特徴とする二次電池。
【請求項５】
請求項３に記載の二次電池において、
前記突起部は前記テーパー部から離間して設けられることを特徴とする二次電池。
【請求項６】
請求項１に記載の二次電池において、
前記テーパー部は蓋側に設けられ、
前記一対の幅狭部のうち、一方側の幅狭部に対応する位置には、前記集電板から突出した突起部が形成されることを特徴とする二次電池。
【請求項７】
請求項２及び６に記載の二次電池において、
前記テーパー部が対向する前記集電板部に突起部が設けられていることを特徴とする二次電池。
【請求項８】
請求項２及び６に記載の二次電池において、
前記テーパー部が対向する接続端子の径が他の径よりも大きいことを特徴とする二次電池。
【発明の詳細な説明】
【技術分野】
【０００１】
本発明は、電池蓋の突起部と絶縁板によって肉だまりを形成したガスケットの圧縮によって発生した押圧力を、電池蓋のテーパー部によって接続端子の軸方向に安定して作用させることで軸シールの機能を得る角形二次電池に関する。
【背景技術】
【０００２】
従来例として、接続端子の軸部を垂直方向にかしめることで軸部を拡径し、他部材の軸部貫通孔との間でガスケットを押圧することで軸方向のシールを実現する特許が特許文献１に開示されている。
【先行技術文献】
【特許文献】
【０００３】
【特許文献１】特開２００９-７６３９４号公報
【発明の概要】
【発明が解決しようとする課題】
【０００４】
先行技術では、軸部の拡径によって押圧（圧縮）されたガスケットの流動（肉逃げ）を堰き止める為の構造（部位）が無いことから、ガスケットの肉逃げが生じ、振動やクリープなどで経時的なシール性の低下が懸念される。また、特に集電板、外部端子、接続端子を３つの部品で作った場合には、接続端子を経由して電解液が染み出す恐れがある。【０００５】
本発明は、上記の点に鑑みてなされたものであり、その目的とするところは、従来技術の、蓋やフランジ部分に設けた凹凸によってかしめ方向にガスケットを押圧するシール技術に加え、本願は更に接続端子の軸部へガスケットの肉だまりによる押圧力を作用させることで軸シールの機能を得ることが可能である。これにより、従来よりも長期的なシール性の担保が可能となる角形二次電池を提供することである。
【課題を解決するための手段】
【０００６】
上記課題を解決するために本発明の一態様に係る角形二次電池は、蓄電要素と、蓄電要素と接続される集電板と、蓄電要素および集電板とを収納し、開口が設けられた電池容器と、電池容器の開口を塞ぎ、外部端子が配置された蓋と、外部端子と前記集電板とを接続する接続端子と、を備え接続端子の軸の周りにはガスケットを有し、ガスケットには一対の幅狭部が設けられ、蓋又は集電板には、前記一対の幅狭部間に配置されたテーパー部が設けられることを特徴とする。
【発明の効果】
【０００７】
本発明によれば、従来技術の、蓋やフランジ部分に設けた凹凸によってかしめ方向にガスケットを押圧するシール技術に加え、本願は更に接続端子の軸部へガスケットの肉ダマリによる押圧力を作用させることで軸シールの機能を得ることが可能である。これにより、従来よりも長期的なシール性の担保が可能となる。なお、上記した以外の課題、構成及び効果は、以下の実施形態の説明により明らかにされる。
【図面の簡単な説明】
【０００８】
【図１】角形二次電池の分解斜視図
【図２】捲回電極群の分解斜視図
【図３（ａ）】実施例１の押圧前の模式断面図
【図３（ｂ）】実施例１の押圧中の模式断面図
【図３（ｃ）】実施例１のかしめ中の模式断面図
【図３（ｄ）】実施例１のかしめ後の模式断面図
【図４】実施例２の模式断面図
【図５】実施例３の模式断面図
【図６】実施例１の変形例の模式断面図
【図７】実施例４の模式断面図
【図８】実施例５の模式断面図
【図９】実施例６の模式断面図
【発明を実施するための形態】
【０００９】
以下、本発明の実施例について図面を用いて説明する。
【００１０】
≪実施例１≫
図１は、角形二次電池の分解斜視図である。
角形二次電池１００は、電池缶１および蓋６を備える。電池缶１と蓋６は、例えばアルミニウム合金などの金属材料からなり、深絞り加工及びプレス加工を施すことによって形成される。
【００１１】
電池缶１内には、捲回電極群３（図２を参照）が内蔵され、電池缶１の開口部１ａが蓋６によって封口されている。蓋６は略矩形平板状であって、電池缶１の開口部１ａを塞ぐように溶接されて電池缶１が封止されている。蓋６には、インサート成形により絶縁部材５によって蓋６に固定された正極出力部１４と、負極出力部１２が設けられている。正極出力部１４と負極出力部１２を介して捲回電極群３に充電され、また外部負荷に電力が供給される。蓋６には、ガス排出弁１０が一体的に設けられ、電池容器内の圧力が上昇すると、ガス排出弁１０が開いて内部からガスが排出され、電池容器内の圧力が低減される。これによって、角形二次電池１００の安全性が確保される。
【００１２】
角形二次電池１００の電池缶１は、長方形の底面１ｄと、底面１ｄの一対の長辺から立ち上がる幅広面１ｂと、底面１ｄの一対の短辺から立ち上がる幅狭面１ｃと、これら幅広面１ｂ及び幅狭面１ｃの上端で上方に向かって開放された開口部１ａとを有している。電池缶１内には、絶縁保護フィルム２を介して捲回電極群３が収容されている。
【００１３】
捲回電極群３は、帯状の電極が扁平形状に捲回されて構成されており、断面半円形状の互いに対向する一対の湾曲部と、これら一対の湾曲部の間に連続して形成される平面部とを有している。捲回電極群３は、捲回軸方向が電池缶１の横幅方向に沿うように、一方の湾曲部側から電池缶１内に挿入されて底面１ｄと対向し、他方の湾曲部側が開口部１ａ側に配置される。
【００１４】
捲回電極群３の正極箔露出部３４ｃは、正極集電板４４を介して蓋６に設けられた正極出力部１４と電気的に接続されている。また、捲回電極群３の負極箔露出部３２ｃは、負極集電板２４を介して蓋６に設けられた負極出力部１２と電気的に接続されている。これにより、正極集電板４４および負極集電板２４を介して捲回電極群３から外部負荷へ電力が供給され、正極集電板４４および負極集電板２４を介して捲回電極群３へ外部発電電力が供給され充電される。
【００１５】
正極集電板４４と負極集電板２４、及び、正極外部端子１４と負極外部端子１２を、それぞれ電池蓋６から電気的に絶縁するために、ガスケット５および絶縁板７が電池蓋６に設けられている。また、注液口９から電池缶１内に電解液を注入した後、電池蓋６に注液栓１１をレーザ溶接により接合して注液口９を封止し、扁平捲回形二次電池１００を密閉する。
【００１６】
ここで、正極集電板４４の形成素材としては、例えばアルミニウム合金が挙げられ、負極集電板２４の形成素材としては、例えば銅合金が挙げられる。また、絶縁部材５の形成素材としては、例えばポリブチレンテレフタレートやポリフェニレンサルファイド、ペルフルオロアルコキシフッ素樹脂等の絶縁性を有する樹脂材が挙げられる。
【００１７】
また、電池蓋６には、電池容器内に電解液を注入するための注液孔９が穿設されており、この注液孔９は、電解液を電池容器内に注入した後に注液栓１１によって封止される。ここで、電池容器内に注入される電解液としては、例えばエチレンカーボネート等の炭酸エステル系の有機溶媒に６フッ化リン酸リチウム（ＬｉＰＦ６）等のリチウム塩が溶解された非水電解液を適用することができる。
【００１８】
正極外部端子１４、負極外部端子１２は、バスバー等に溶接接合される溶接接合部を有している。溶接接合部は、ガスケット５よりも上方で電池蓋６の外面と平行に配置される平坦面を有しており、かかる平坦面にバスバー等が接面されて溶接接合されるようになっている。
【００１９】
正極集電板４４、負極集電板２４は、電池缶１の幅広面に沿って底面側に向かって延出し、捲回電極群３の正極箔露出部３４ｃ、負極箔露出部３２ｃに対向して重ね合わされた状態で接続される正極側接続端部４２、負極側接続端部２２を有している。
捲回電極群３の扁平面に沿う方向でかつ捲回電極群３の捲回軸方向に直交する方向を中心軸方向として捲回電極群３の周囲には絶縁保護フィルム２が巻き付けられている。絶縁保護フィルム２は、例えばＰＰ（ポリプロピレン）などの合成樹脂製の一枚のシートまたは複数のフィルム部材からなり、捲回電極群３の扁平面と平行な方向でかつ捲回軸方向に直交する方向を巻き付け中心として巻き付けることができる長さを有している。
【００２０】
図２は、捲回電極群の一部を展開した状態を示す分解斜視図である。
捲回電極群３は、負極電極３２と正極電極３４を間にセパレータ３３、３５を介して扁平状に捲回することによって構成されている。捲回電極群３は、最外周の電極が負極電極３２であり、さらにその外側にセパレータ３３、３５が捲回される。セパレータ３３、３５は、正極電極３４と負極電極３２との間を絶縁する役割を有している。
【００２１】
負極電極３２の負極合剤層３２ｂが塗布された部分は、正極電極３４の正極合剤層３４ｂが塗布された部分よりも幅方向に大きく、これにより正極合剤層３４ｂが塗布された部分は、必ず負極合剤層３２ｂが塗布された部分に挟まれるように構成されている。正極箔露出部３４ｃ、負極箔露出部３２ｃは、平面部分で束ねられて溶接等により接続される。尚、セパレータ３３、３５は幅方向で負極合剤層３２ｂが塗布された部分よりも広いが、正極箔露出部３４ｃ、負極箔露出部３２ｃで端部の金属箔面が露出する位置に捲回されるため、束ねて溶接する場合の支障にはならない。
【００２２】
正極電極３４は、正極集電体である正極箔の両面に正極活物質合剤を有し、正極箔の幅方向一方側の端部には、正極活物質合剤を塗布しない正極箔露出部３４ｃが設けられている。負極電極３２は、負極集電体である負極箔の両面に負極活物質合剤を有し、負極箔の幅方向他方側の端部には、負極活物質合剤を塗布しない負極箔露出部３２ｃが設けられている。正極箔露出部３４ｃと負極箔露出部３２ｃは、電極箔の金属面が露出した領域であり、捲回軸方向の一方側と他方側の位置に配置されるように捲回される。
【００２３】
負極電極３２に関しては、負極活物質として非晶質炭素粉末１００重量部に対して、結着剤として１０重量部のポリフッ化ビニリデン（以下、ＰＶＤＦという。）を添加し、これに分散溶媒としてＮ−メチルピロリドン（以下、ＮＭＰという。）を添加、混練した負極合剤を作製した。この負極合剤を厚さ１０μｍの銅箔（負極箔）の両面に溶接部（負極未塗工部）を残して塗布した。その後、乾燥、プレス、裁断工程を経て、銅箔を含まない負極活物質塗布部厚さ７０μｍの負極電極３２を得た。
【００２４】
尚、本実施形態では、負極活物質に非晶質炭素を用いる場合について例示したが、これに限定されるものではなく、リチウムイオンを挿入、脱離可能な天然黒鉛や、人造の各種黒鉛材、コークスなどの炭素質材料やＳｉやＳｎなどの化合物（例えば、ＳｉＯ、ＴｉＳｉ２等）、またはそれの複合材料でもよく、その粒子形状においても、鱗片状、球状、繊維状、塊状等、特に制限されるものではない。
【００２５】
正極電極３４に関しては、正極活物質としてマンガン酸リチウム（化学式ＬｉＭｎ２Ｏ４）１００重量部に対し、導電材として１０重量部の鱗片状黒鉛と結着剤として１０重量部のＰＶＤＦとを添加し、これに分散溶媒としてＮＭＰを添加、混練した正極合剤を作製した。この正極合剤を厚さ２０μｍのアルミニウム箔（正極箔）の両面に溶接部（正極未塗工部）を残して塗布した。その後、乾燥、プレス、裁断工程を経て、アルミニウム箔を含まない正極活物質塗布部厚さ９０μｍの正極電極３１を得た。
【００２６】
また、本実施形態では、正極活物質にマンガン酸リチウムを用いる場合について例示したが、スピネル結晶構造を有する他のマンガン酸リチウムや一部を金属元素で置換又はドープしたリチウムマンガン複合酸化物や層状結晶構造を有すコバルト酸リチウムやチタン酸リチウムやこれらの一部を金属元素で置換またはドープしたリチウム-金属複合酸化物を用いるようにしてもよい。
【００２７】
また、本実施形態では、正極電極、負極電極における塗工部の結着剤としてＰＶＤＦを用いる場合について例示したが、ポリテトラフルオロエチレン（ＰＴＦＥ）、ポリエチレン、ポリスチレン、ポリブタジエン、ブチルゴム、ニトリルゴム、スチレンブタジエンゴム、多硫化ゴム、ニトロセルロース、シアノエチルセルロース、各種ラテックス、アクリロニトリル、フッ化ビニル、フッ化ビニリデン、フッ化プロピレン、フッ化クロロプレン、アクリル系樹脂などの重合体およびこれらの混合体などを用いることができる。
【００２８】
また、軸芯としては例えば、正極箔、負極箔、セパレータ３３、３５のいずれよりも曲げ剛性の高い樹脂シートを捲回して構成したものを用いることができる。
【００２９】
図３は、実施例１におけるかしめ時の模式断面図を示している。なお、本実施形態では代表として負極側について説明するが、当然正極側であったとしても本実施形態を適用することは可能である。
【００３０】
図３に示す模式断面図は、かしめ前の部品を重ね合わせた状態を図３（ａ）、重ね合わせた状態でガスケット５を圧縮荷重１１０で押圧した状態を図３（ｂ）、圧縮荷重１１０で押圧した状態で接続端子１２ａの端部をテーパー状に押し広げた状態の図３（ｃ）、テーパー状に押し広げた負極接続部仮かしめ１２ａａを目的の形状である負極接続部かしめ１２ａａａにかしめ成形した状態の図３（ｄ）である。このような構造にすることによって、ガスケット５には電池蓋突起部６ａによって作られる幅狭部５５ａと、絶縁板突起部７ａａと接続端子１２ａと電池蓋６とで作られる幅狭部５５ｂが設けられる。
【００３１】
図３（ａ）に示す電池蓋突起部６ａと絶縁板突起部７ａａが、図３（ｂ）に示す状態で、ガスケット５の対向する位置において、それぞれ、電池蓋突起部圧縮荷重１１０ｂと絶縁板突起部圧縮荷重１１０ａを発生させる。
【００３２】
図３（ｂ）に示す圧縮荷重１１０が加わっている状態で、図３（ｃ）に表すように、接続端子１２ａの端部を例えば図示しない９０°のテーパー形状のポンチによって、テーパー状に押し広げることで、接続端子１２ａの端部に負極接続部仮かしめ１２ａａを形成しガスケット５ａを圧縮状態で保持させる。
【００３３】
図３（ｃ）に示す負極接続端子仮かしめ１２ａａを、図３（ｄ）に示すように、例えば図示しないドーム形状のポンチによって、目的の形状である負極接続部１２ａａａにかしめ成形する。ガスケット肉だまりａ部５ａは圧縮状態で接続端子１２ａとの接触面及び電池蓋突起部６ａとの接触面にて面圧を発生させるが、電池蓋テーパー部６ｂは、負極接続部１２ａの軸の向きに電池蓋テーパー部圧縮荷重１１０ｄを発生させることを可能とするテーパー角度に成形されている。電池蓋テーパー部６ｂは、該圧縮荷重１１０ｄを長期的に安定して発生させることで、長期的なシール性の担保が可能となる。
なお、図６に示すように突起部６ａは、テーパー部６ｂから離間された位置に配置されていてもよい。
以上、本実施例について簡単にまとめる。本実施例では、蓄電要素（３）と、蓄電要素（３）と接続される集電板（２４、４４）と、蓄電要素（３）および集電板（２４、４４）とを収納し、開口（１ａ）が設けられた電池容器（１）と、電池容器（１）の開口（１ａ）を塞ぎ、外部端子（１２、１４）が配置された蓋と、外部端子（１２、１４）と集電板（２４、４４）とを接続する接続端子（１２ａ、１４ａ）と、を備え、接続端子（１２ａ、１４ａ）の軸の周りにはガスケット（５）を有し、ガスケット（５）には一対の幅狭部（５５ａ、５５ｂ）が設けられ、蓋（６）には、一対の幅狭部間に配置されたテーパー部（６ｂ）が設けられる。このような構造にすることによって、一対の幅狭部にガスケットの肉を集めたうえで、その肉を接続端子（１２ａ、１４ａ）に押圧できるため、軸部でのシールを長期的に実現することができる。したがって、シール性の低下による接続端子１２ａ、１４ａからのリークがなくすことができる。
また、本実施例では、テーパー部（６ｂ）は蓋（６）側に設けられ、一対の幅狭部（５５ａ、５５ｂ）のうち、一方側の幅狭部（５５ａ）に対応する位置には、蓋（６）から突出した突起部（６ａ）が形成される。
また、本実施例では、突起部（６ａ）はテーパー部（６ｂ）から離間して設けられる。
【００３４】
≪実施例２≫
続いて実施例２について説明する。実施例２が実施例１と異なる点は、電池蓋６のテーパー部６ｂの外部端子側端部が、電池蓋６の接続端子１２ａを挿通する開口部の端部をなしている点である（実施例１ではテーパー部６ｂからつながる平坦部があった。）。
図４は、実施例２におけるかしめ後の模式断面図を示している。実施例１と同様に、部品を重ね合わせた状態からガスケット５を圧縮荷重１１０で押圧した状態で負極接続部仮かしめ１２ａａを成形、最終的に負極接続部かしめ１２ａａａを成形するかしめ工程を行う。
【００３５】
ガスケット肉だまりａ部５ａは圧縮状態で接続端子１２ａとの接触面及び電池蓋突起部６ａとの接触面にて面圧を発生させるが、実施例１と同様に、電池蓋テーパー部６ｂは、負極接続部１２ａの軸の向きに電池蓋テーパー部圧縮荷重１１０ｄを発生させることを可能とするテーパ角度に成形されている。電池蓋テーパー部６ｂは、該圧縮荷重１１０ｄを長期的に安定して発生させることで、長期的なシール性の担保が可能となる。
以上、本実施例についてまとめる。本実施例では、一対の幅狭部（５５ａ、５５ｂ）のうち、他方側の幅狭部（５５ｂ）に対応する位置には、テーパー部（６ｂ）の端部が形成されることを特徴とする。このような構成にすることによって、より広い領域でガスケット肉だまりａ部５ａを押すことができるため、より信頼性が高くなる。
【００３６】
≪実施例３≫
続いて実施例３について説明する。実施例３が実施例１と異なる点は、電池蓋６のテーパー部６ｂと電池蓋６の突起部６ａが連続して設けられている点である。
図５は、実施例３におけるかしめ後の模式断面図を示している。実施例１及び２と同様に、部品を重ね合わせた状態からガスケット５を圧縮荷重１１０で押圧した状態で負極接続部仮かしめ１２ａａを成形、最終的に負極接続部かしめ１２ａａａを成形するかしめ工程を行う。
【００３７】
本実施例では蓋に設けたテーパー部から連続して突起６ａを設けることで、かしめによるガスケット５の押圧によるガスケット５がテーパー部に面するガスケット肉だまりａ部５ａへ流動し易くなり、且つガスケット肉だまりｂ部５ｂへのガスケット５の肉逃げを防止することが可能となる。実施例１及び２と同様、電池蓋テーパー部６ｂは、負極接続部１２ａの軸の向きに電池蓋テーパ部圧縮荷重１１０ｄを発生させることを可能とするテーパー角度に成形されている。電池蓋テーパー部６ｂは、該圧縮荷重１１０ｄを長期的に安定して発生させることで、長期的なシール性の担保が可能となる。
以上、本実施例についてまとめる。本実施例では、突起部（６ａ）はテーパー部（６ｂ）から連続して設けられることを特徴とする。このような構成にすることによって、ガスケット５がテーパー部に面するガスケット肉だまりａ部５ａへ流動し易くなり、且つガスケット肉だまりｂ部５ｂへのガスケット５の肉逃げを防止することが可能となる。
【００３８】
≪実施例４≫
続いて実施例４について説明する。実施例４が実施例１と異なる点は、集電板２４側に突起部２４ａを設けた点である。
図７は、実施例４におけるかしめ後の模式断面図を示している。実施例１及び２と同様に、部品を重ね合わせた状態からガスケット５を圧縮荷重１１０で押圧した状態で負極接続部仮かしめ１２ａａを成形、最終的に負極接続部かしめ１２ａａａを成形するかしめ工程を行う。
【００３９】
集電板２４に突起２４ａを設けることで、かしめによるガスケット５の押圧によってガスケット５が軸方向へ流動し、且つガスケット肉だまりｂ部５ｂへのガスケット５の肉逃げを防止することが可能となる。また、その効果は図６に示す離間部６ｃを蓋に有した構造と同様に得られる。実施例１及び２と同様、電池蓋テーパー部６ｂは、負極接続部１２ａの軸の向きに電池蓋テーパ部圧縮荷重１１０ｄを発生させることを可能とするテーパー角度に成形されている。電池蓋テーパー部６ｂは、該圧縮荷重１１０ｄを長期的に安定して発生させることで、長期的なシール性の担保が可能となる。
以上、本実施例について簡単にまとめる。本実施例では、一対の幅狭部（５５ａ、５５ｂ）のうち、一方側の幅狭部（５５ａ、５５ｂ）に対応する位置には、集電板（２４、４４）から突出した突起部が形成されることを特徴とする。このような構成とした場合であっても、実施例１と同様の効果を達成することができる。
【００４０】
≪実施例５≫
続いて実施例５について説明する。実施例５が実施例１と異なる点は、テーパー部６ｂが対向する位置であって、集電板２４側に突起部２４ａを設けた点である。
図８は、実施例５におけるかしめ後の模式断面図を示している。実施例１及び２と同様に、部品を重ね合わせた状態からガスケット５を圧縮荷重１１０で押圧した状態で負極接続部仮かしめ１２ａａを成形、最終的に負極接続部かしめ１２ａａａを成形するかしめ工程を行う。
【００４１】
ガスケット肉だまりａ部５ａは、負極集電板テーパー部対向突起部２４ｂによる圧縮量の増加分によって、実施例１及び２よりも高い圧縮状態で接続端子１２ａとの接触面及び電池蓋突起部６ａとの接触面及び負極集電板テーパー部突起部２４ｂとの接触面で面圧を発生させている。実施例１及び２と同様、電池蓋テーパー部６ｂは、負極接続部１２ａの軸の向きに電池蓋テーパ部圧縮荷重１１０ｄを発生させることを可能とするテーパー角度に成形されている。電池蓋テーパー部６ｂは、該圧縮荷重１１０ｄを長期的に安定して発生させることで、長期的なシール性の担保が可能となる。
以上、本実施例について簡単にまとめる。本実施例では、テーパー部が対向する前記集電板部に突起部が設けられていることを特徴とする。このような構造にすることによって、集電板テーパー部対向突起部による圧縮量の増加分によって、実施例１及び２よりも高い圧縮状態で接続端子の接触面及び電池蓋突起部との接触面及び集電板テーパー部突起部との接触面で面圧を発生させることができ、さらなる長期的なシール性の担保が可能となる。
【００４２】
≪実施例６≫
続いて実施例６について説明する。実施例６が実施例１と異なる点は、接続端子１２ａ、１４ａの軸部の集電板２４側の部分を太くして実施例５と同様の効果を狙った点である。
図９は、実施例６におけるかしめ後の模式断面図を示している。実施例１、２及び３と同様に、部品を重ね合わせた状態からガスケット５を圧縮荷重１１０で押圧した状態で負極接続部仮かしめ１２ａａを成形、最終的に負極接続部かしめ１２ａａａを成形するかしめ工程を行う。
【００４３】
ガスケット肉だまりａ５ａは、電池蓋テーパー部６ｂが対向するに負極接続部１２ａの外径Ｂ部１２ａｃが、その他の外径Ａ部１２ａｂよりも大きいことによる圧縮量の増加分によって、実施例１及び２よりも高い圧縮状態で接続端子１２ａとの接触面及び電池蓋突起部６ａとの接触面及び負極集電板突起部２４ａとの接触面で面圧を発生させている。実施例１及び２と同様、電池蓋テーパー部６ｂは、負極接続部１２ａの軸の向きに電池蓋テーパ部圧縮面圧１１０ｄを発生させることを可能とするテーパー角度に成形されている。電池蓋テーパー部６ｂは、該圧縮面圧１１０ｄを長期的に安定して発生させることで、長期的なシール性の担保が可能となる。
以上、実施例について簡単にまとめる。本実施例では、テーパー部（６ｂ）が対向する接続端子の径（１２ａｃ）が他の径（１２ａｂ）よりも大きいことを特徴とする。接続端子１２ａ、１４ａの一部の軸部を大きくすることによって、実施例５と同様の効果（ガスケット５の圧縮量の増加分による長期的なシール性能向上）を得ることができる。
【００４４】
実施例１、２、３、４、５、６では、負極側の構成のみを示したが、本実施形態は、負極側に限定するものではなく、正極側と負極側の少なくとも一方がかかる構成を有していればよく、本実施例では正極側も負極側と同様の構成を有している。
また、実施例ではテーパー形状を例にして説明したが、Ｒ形状でも良く、本願が解決しようとする課題に対しては同様に解決することが可能である。
また、いずれの実施例の場合であってもテーパー部６ｂが対向する接続端子１２ａ、１４ａの軸部に転造や切削により凹凸を設けてもよい。このような構成にすることによって、より長期的なシール性能を向上させることができる。
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００４５】
１       電池缶
１a      開口部
１b      幅広側面
１c      幅狭側面
１d      底面
２       絶縁保護フィルム
３       捲回群
５       ガスケット
５ａ     ガスケット肉だまりａ部
５ｂ     ガスケット肉だまりｂ部
６       電池蓋
６ａ     電池蓋突起部
６ｂ     電池蓋テーパー部
６ｃ     電池蓋離間部
７ａ     絶縁板ａ
７ａａ   絶縁板突起部
７ｂ     絶縁板ｂ
９       注液口
１０     ガス排出弁
１１     注液栓
１２     負極外部端子
１２ａ   負極接続部
１２ａａ 負極接続部仮かしめ
１２ａａａ 負極接続部かしめ
１２ａｂ 外径Ａ部
１２ａｃ 外径Ｂ部
１４     正極外部端子
１４ａ   正極接続部
２１     負極集電板基部
２２     負極接続端部
２３     負極側開口穴
２４     負極集電板
２４ａ   負極集電板突起部
２４ｂ   負極集電板テーパー部対向突起部
２６     負極側貫通孔
３２     負極電極
３２a    負極箔
３２b    負極合剤層
３２c    負極箔露出部
３３     セパレータ
３４     正極電極
３４ａ   正極箔
３４b    正極合剤層
３４c    正極箔露出部
３５     セパレータ
４１     正極集電板基部
４２     正極接続端部
４４     正極集電板
４６     正極側貫通孔
１００   二次電池
１１０   圧縮荷重
１１０ａ 絶縁板突起部圧縮荷重   
１１０ｂ 電池蓋突起部圧縮荷重
１１０ｃ 絶縁板挟搾部圧縮荷重
１１０ｄ 電池蓋テーパー部圧縮荷重
【図１】
2018159180.tif 000003
【図２】
2018159180.tif 000004
【図３（ａ）】
2018159180.tif 000005
【図３（ｂ）】
2018159180.tif 000006
【図３（ｃ）】
2018159180.tif 000007
【図３（ｄ）】
2018159180.tif 000008
【図４】
2018159180.tif 000009
【図５】
2018159180.tif 000010
【図６】
2018159180.tif 000011
【図７】
2018159180.tif 000012
【図８】
2018159180.tif 000013
【図９】
2018159180.tif 000014
【国際調査報告】
2018159180.tif 000015
2018159180.tif 000016
2018159180.tif 000017